(57)【要約】【課題】手間をかけずに、画像データが保存されたネットワーク内のホルダ又はファイルに簡単にアクセスできる画像読取装置を提供する。【解決手段】読み取った画像データの保存に伴ってその保存先のホルダ及びファイルのネットワーク１８内にけるパスデータ、又は、ホルダ指定に用いられたショートカット名及びファイル名が自動的に記憶され、そのパスデータのリスト、又は、ショートカット名及びファイル名のリストが、オンデマンドプリント時にタッチパネルに表示されるようになっている。【選択図】図１
2008022281.tif 000002
【特許請求の範囲】
【請求項１】
ネットワークを介して少なくとも１つの外部装置と通信可能な画像読取装置であって、
画像を読み取る読取部と、
操作入力を受け付ける操作部と、
表示部と、
記憶部と、
前記読取部が読み取った画像データを、前記操作部を介した操作入力により特定された前記外部装置のホルダにファイルにして保存する保存処理部と、
前記保存処理部により保存された前記ファイルの前記ネットワーク内におけるパスに関するパスデータを前記記憶部に記憶させる保存先管理部と、
前記記憶部に記憶された前記パスデータを、前記操作部を介した操作入力により選択可能な態様で前記表示部に表示させる案内処理部とを備えることを特徴とする画像読取装置。
【請求項２】
請求項１の記載の画像読取装置において、
前記表示部に表示された前記パスデータが前記操作部を介した操作入力により選択されると、そのパスデータに基づいて特定される前記ファイルに前記ネットワークを介してアクセスする閲覧処理部をさらに備えることを特徴とする画像読取装置。
【請求項３】
請求項１の記載の画像読取装置において、
前記表示部に表示された前記パスデータが前記操作部を介した操作入力により選択されると、そのパスデータに基づいて特定される前記ファイルに前記ネットワークを介してアクセスし、そのファイルの画像データを所定の記録部を介してプリントする閲覧処理部をさらに備えることを特徴とする画像読取装置。
【請求項４】
請求項１ないし請求項３のいずれかに記載の画像読取装置において、
前記保存先管理部は、前記ファイルの保存時に前記操作部を介して前記ホルダへのアクセス権限に関する認証データが入力された場合には、その認証データを前記記憶部に記憶させ、
前記閲覧処理部は、前記パスデータが前記操作部を介した操作入力により選択されると、前記記憶部に記憶されている前記認証データを用いて、前記パスデータに基づいて特定される前記ファイルに前記ネットワークを介してアクセスすることを特徴とする画像読取装置。
【請求項５】
ネットワークを介して少なくとも１つの外部装置と通信可能な画像読取装置であって、
画像を読み取る読取部と、
操作入力を受け付ける操作部と、
表示部と、
記憶部と、
前記読取部が読み取った画像データを、前記操作部を介した操作入力によりショートカットを用いて特定された前記外部装置のホルダにファイルにして保存する保存処理部と、
前記ホルダの特定に用いられた前記ショートカットに関するショートカットデータ及び前記画像データのファイル名を前記記憶部に記憶させる保存先管理部と、
前記記憶部に記憶された前記ショートカットデータ及び前記ファイル名を、前記操作部を介した操作入力により選択可能な態様で前記表示部に表示させる案内処理部とを備えることを特徴とする画像読取装置。
【請求項６】
請求項５に記載の画像読取装置において、
前記表示部に表示された前記ショートカットデータ及び前記ファイル名が前記操作部を介した操作入力により選択されると、そのショートカットデータ及び前記ファイル名に基づいて特定される前記ホルダ内の前記ファイルに前記ネットワークを介してアクセスする閲覧処理部をさらに備えることを特徴とする画像読取装置。
【請求項７】
請求項５の記載の画像読取装置において、
前記表示部に表示された前記ショートカットデータ及び前記ファイル名が前記操作部を介した操作入力により選択されると、そのショートカットデータ及び前記ファイル名に基づいて特定される前記ホルダ内の前記ファイルに前記ネットワークを介してアクセスし、そのファイルの画像データを所定の記録部を介してプリントする閲覧処理部をさらに備えることを特徴とする画像読取装置。
【請求項８】
請求項５ないし請求項７のいずれかに記載の画像読取装置において、
前記保存先管理部は、前記ファイルの保存時に前記操作部を介して前記ホルダへのアクセス権限に関する認証データが入力された場合には、その認証データを前記記憶部に記憶させ、
前記閲覧処理部は、前記ショートカットデータ及び前記ファイル名が前記操作部を介した操作入力により選択されると、前記記憶部に記憶されている前記認証データを用いて、前記ショートカットデータ及び前記ファイル名に基づいて特定される前記ホルダ内の前記ファイルに前記ネットワークを介してアクセスすることを特徴とする画像読取装置。
【発明の詳細な説明】
【技術分野】
【０００１】
本発明は、画像読取装置に関する。
【０００２】
なお、本発明に係る画像読取装置及びその関連技術は、例えば、スキャナー機能を有し、ネットワークと接続可能なファクシミリ複合装置等に適用される。
【背景技術】
【０００３】
従来の画像読取装置として、読み取った画像データをネットワークを介して他の外部装置のホルダ内に保存できるものがある。しかし、画像データを保存したホルダがネットワーク内の深い階層にある場合、その画像データにアクセスするのに手間がかかるという問題がある。
【０００４】
画像データを保存したファイル等へのアクセスを容易にするための従来技術として、複合機にファイルと関連付けられたショートカット等を登録できるようにしたものがある（特許文献１）。しかし、この従来技術では、ファイルと関連付けられたショートカット等を複合機に送信等して登録する手間が必要であり、手間がかかるという問題がある。
【特許文献１】特開２００５−６４８１７号公報
【発明の開示】
【発明が解決しようとする課題】
【０００５】
そこで、本発明の解決すべき課題は、手間をかけずに、画像データが保存されたネットワーク内のホルダ又はファイルに簡単にアクセスできる画像読取装置を提供することである。
【課題を解決するための手段】
【０００６】
上記の課題を解決するため、請求項１の発明では、ネットワークを介して少なくとも１つの外部装置と通信可能な画像読取装置であって、画像を読み取る読取部と、操作入力を受け付ける操作部と、表示部と、記憶部と、前記読取部が読み取った画像データを、前記操作部を介した操作入力により特定された前記外部装置のホルダにファイルにして保存する保存処理部と、前記保存処理部により保存された前記ファイルの前記ネットワーク内におけるパスに関するパスデータを前記記憶部に記憶させる保存先管理部と、前記記憶部に記憶された前記パスデータを、前記操作部を介した操作入力により選択可能な態様で前記表示部に表示させる案内処理部とを備える。
【０００７】
また、請求項２の発明では、請求項１の記載の画像読取装置において、前記表示部に表示された前記パスデータが前記操作部を介した操作入力により選択されると、そのパスデータに基づいて特定される前記ファイルに前記ネットワークを介してアクセスする閲覧処理部をさらに備える。
【０００８】
また、請求項３の発明では、請求項１の記載の画像読取装置において、前記表示部に表示された前記パスデータが前記操作部を介した操作入力により選択されると、そのパスデータに基づいて特定される前記ファイルに前記ネットワークを介してアクセスし、そのファイルの画像データを所定の記録部を介してプリントする閲覧処理部をさらに備える。
【０００９】
また、請求項４の発明では、請求項１ないし請求項３のいずれかの発明に係る画像読取装置において、前記保存先管理部は、前記ファイルの保存時に前記操作部を介して前記ホルダへのアクセス権限に関する認証データが入力された場合には、その認証データを前記記憶部に記憶させ、前記閲覧処理部は、前記パスデータが前記操作部を介した操作入力により選択されると、前記記憶部に記憶されている前記認証データを用いて、前記パスデータに基づいて特定される前記ファイルに前記ネットワークを介してアクセスする。
【００１０】
また、請求項５の発明では、ネットワークを介して少なくとも１つの外部装置と通信可能な画像読取装置であって、画像を読み取る読取部と、操作入力を受け付ける操作部と、表示部と、記憶部と、前記読取部が読み取った画像データを、前記操作部を介した操作入力によりショートカットを用いて特定された前記外部装置のホルダにファイルにして保存する保存処理部と、前記ホルダの特定に用いられた前記ショートカットに関するショートカットデータ及び前記画像データのファイル名を前記記憶部に記憶させる保存先管理部と、前記記憶部に記憶された前記ショートカットデータ及び前記ファイル名を、前記操作部を介した操作入力により選択可能な態様で前記表示部に表示させる案内処理部とを備える。
【００１１】
また、請求項６の発明では、請求項５の発明に係る画像読取装置において、前記表示部に表示された前記ショートカットデータ及び前記ファイル名が前記操作部を介した操作入力により選択されると、そのショートカットデータ及び前記ファイル名に基づいて特定される前記ホルダ内の前記ファイルに前記ネットワークを介してアクセスする閲覧処理部をさらに備える。
【００１２】
また、請求項７の発明では、請求項５の記載の画像読取装置において、前記表示部に表示された前記ショートカットデータ及び前記ファイル名が前記操作部を介した操作入力により選択されると、そのショートカットデータ及び前記ファイル名に基づいて特定される前記ホルダ内の前記ファイルに前記ネットワークを介してアクセスし、そのファイルの画像データを所定の記録部を介してプリントする閲覧処理部をさらに備える。
【００１３】
また、請求項８の発明では、請求項５ないし請求項７のいずれかの発明に係る画像読取装置において、前記保存先管理部は、前記ファイルの保存時に前記操作部を介して前記ホルダへのアクセス権限に関する認証データが入力された場合には、その認証データを前記記憶部に記憶させ、前記閲覧処理部は、前記ショートカットデータ及び前記ファイル名が前記操作部を介した操作入力により選択されると、前記記憶部に記憶されている前記認証データを用いて、前記ショートカットデータ及び前記ファイル名に基づいて特定される前記ホルダ内の前記ファイルに前記ネットワークを介してアクセスする。
【発明の効果】
【００１４】
請求項１ないし４に記載の発明によれば、読み取った画像データの保存に伴ってそのファイルのネットワーク内にけるパスデータが自動的に記憶され、そのパスデータが選択可能な態様で表示部に表示されるようになっているため、画像データにアクセスするときは表示部に表示されたパスデータを選択することにより、手間をかけずに、画像データが保存されたネットワーク内のファイルに簡単にアクセスでき、いわばワンタッチでファイルの読み出しや、プリントを簡単に行うことができる。
【００１５】
請求項４に記載の発明によれば、保存しておいた画像データにアクセスする際に認証データを再度入力する必要がなく、認証データの入力の手間が省けて便利である。
【００１６】
請求項５ないし８に記載の発明によれば、ショートカットを用いて特定されたホルダへの画像データの保存に伴ってそのショートカットデータ及びファイル名が自動的に記憶され、そのショートカットデータ及びファイル名が選択可能な態様で表示部に表示されるようになっているため、画像データにアクセスするときは表示部に表示されたショートカットデータ及びファイル名を選択することにより、手間をかけずに、画像データが保存されたネットワーク内のホルダ又はファイルに簡単にアクセスでき、いわばワンタッチでファイルの読み出しや、プリントを簡単に行うことができる。
【００１７】
請求項８に記載の発明によれば、保存しておいた画像データにアクセスする際に認証データを再度入力する必要がなく、認証データの入力の手間が省けて便利である。
【発明を実施するための最良の形態】
【００１８】
図１は、本発明の一実施形態に係る画像読取装置としてのファクシミリ複合装置１の構成を示すブロック図である。このファクシミリ複合装置１は、図１に示すように、制御部１１、読取部１２、記録部１３、表示部１４、操作部１５、通信部１６、及び記憶部１７等を備えている。また、このファクシミリ複合装置１の機能には、ファクシミリ機能、コピー機能、スキャナー機能、プリンタ機能及びインターネットファックス機能等が含まれている。
【００１９】
制御部１１は、このファクシミリ複合装置１の制御を統括するものであり、ＣＰＵ等を備えて構成されている。この制御部１１には、機能要素として、モード切替部１１ａ、保存処理部１１ｂ、保存先管理部１１ｃ、案内処理部１１ｄ及びプリント処理部（閲覧処理部）１１ｅが備えられている。これらの機能要素（１１ａ〜１１ｅ）の役割等については、後に詳述する。
【００２０】
読取部１２は、原稿の読み取りを行うものであり、ファックス送信時の原稿の読み取りや、スキャナー機能使用時の原稿の読み取り等に用いられる。記録部１３は、プリンター装置等を備えて構成され、画像データの紙等への印刷を行う。
【００２１】
表示部１４は液晶表示装置等によって構成され、このファクシミリ複合装置１の操作データ等の表示に用いられる。操作部１５は、複数の操作ボタンやタッチパネル等により構成され、このファクシミリ複合装置１の操作に用いられる。
【００２２】
通信部１６は、このファクシミリ装置１の通信インターフェースとして役割を担うものである。この通信部１６には、ファックス通信部２１及びネットワーク通信部２２等が備えられている。ファックス通信部２１は、電話回線網を介したファックスの送受信を担っている。ネットワーク通信部２２は、ＬＡＮ（Local Area Network）及びインターネット等の通信回線としてのネットワーク１８を介したデータ通信を担っている。
【００２３】
より詳細には、ファックス通信部２１には、ＮＣＵ（Network Control Unit）及びモデム等が備えられている。また、ネットワーク通信部２２は、ＳＭＴＰ（Simple Mail Transfer Protocol）、ＰＯＰ（Post Office Protocol）、ＳＭＢ（Server Message Block）、ＨＴＴＰ（HyperText Transfer Protocol）等を取り扱うための機能が備えられている。ネットワーク通信部２２の具体的な機能としては、電子メールの送受、電子メールに画像データを添付して送受するインターネットファックスの送受、及び、ＬＡＮ又はインターネットを介したデータの送受等が含まれている。
【００２４】
記憶部１７は、半導体メモリ、ハードディスク装置等の記憶装置を備えて構成されている。この記憶部１７の記憶内容としては、例えば、このファクシミリ複合装置１を介して送受信されたファックスの送受信データ、インターネットファックスの送受信データ、電子メールの送受信データ、スキャナー機能使用時に読み取られた画像データ、及びファクシミリ複合装置１の設定や保守管理等に関するデータ等が含まれている。
【００２５】
このように構成されるファクシミリ複合装置１は、ネットワーク（例えば、ＬＡＮ）１８を介してパーソナルコンピュータ等の複数の外部装置３１と接続されている。各外部装置３１には、制御部４１、表示部４２、操作部４３、ネットワーク通信部４４及び記憶部４５等が備えられている。ネットワーク通信部４４には、ファクシミリ複合装置１のネットワーク通信部２２とほぼ同様な機能が備えられ、外部装置３１とファクシミリ複合装置１との間で種々のデータ通信が行われるようになっている。記憶部４５には、ネットワーク１８上で共有可能とされた共有ホルダが設けられ、その共有ホルダを指定して、ファクシミリ複合装置１の読取部１２で読み取った画像データ等を保存できるようになっている。
【００２６】
次に、制御部１１のモード切替部１１ａ、保存処理部１１ｂ、保存先管理部１１ｃ、案内処理部１１ｄ及びプリント処理部１１ｅの役割等については説明する。
【００２７】
モード切替部１１ａは、操作部１５から操作入力等によりこのファクシミリ複合装置１の動作モード（ファクシミリ、インターネットファクシミリ、コピー、スキャナー、プリンタ等）を切り替えるようになっている。また、このモード切替部１１ａは、ネットワーク１８を介して外部装置３１の共有ホルダ内のファイルを指定して印刷するオンデマンドプリント時における動作モードを、パス選択モードとショートカット選択モードの間で切り替えるようになっている（詳細については後述する）。
【００２８】
保存処理部１１ｂは、操作部１７を介して読取・保存指示が入力されると、読取部１２に原稿の読み取りを行わせるとともに、読取部１２が読み取った画像データを、操作部１５を介した操作入力により特定されたいずれかの外部装置３１の共有ホルダにファイルにして保存するようになっている。
【００２９】
ファイルの保存先のホルダの特定は、ネットワーク１８内の階層を辿ってホルダを指定する方法（ホルダを参照して指定する方法）、及びホルダに関連付けられたショートカットを指定する方法等がある。より具体的には、図２に示すように表示部１４及び操作部１５によって構成されるタッチパネル５１等を用いて行われる。例えば、ネットワーク１８内の階層を辿る方法では、タッチパネル２３内のフォルダ表示領域５１ａ内に表示された所望のホルダ名５２を指で指示する等して保存先のホルダが指定されるようになっている。このホルダ表示領域５１ａに関連して、タッチパネル５１内にはルートキー５３、戻るキー５４、スルロールバー５５等が設けられている。また例えば、ショートカットを用いる方法では、タッチパネル５１内のショートカット表示領域５１ｂ内に表示された所望のホルダに関連付けられたショートカット（又はショートカット名）５６を指で指示する等して保存先のホルダが指定されるようになっている。
【００３０】
また、ファイルの保存に伴って、保存先のホルダに既に認証データが設定されている場合ある。この場合の認証データの入力及び設定は、例えば、タッチパネル５１内のユーザー名入力領域５１ｃ及びパスワード入力領域５１ｄに操作部１５等を介してユーザー名及びパスワードを入力すること等により行われる。
【００３１】
保存先管理部１１ｃは、ファイルの保存先のホルダがネットワーク１８内の階層を辿って指定された場合には、そのホルダ及びファイルのパス（ファイル名付きパス）に関するパスデータを記憶部１７に記憶させる一方、ファイルの保存先のホルダがショートカットを用いて特定された場合には、そのショートカットに関するショートカットデータ及びファイル名を記憶部１７に記憶させるようになっている。
【００３２】
また、保存先管理部１１ｃは、保存処理部１１ｂによるファイルの保存処理時に操作部１５を介してホルダへのアクセス権限に関する認証データが入力された場合には、その認証データを対応するファイルのパスデータとともに、又は、ショートカットデータ及びファイル名とともに記憶部１７に記憶させるようになっている。
【００３３】
案内処理部１１ｄは、ネットワーク１８を介して外部装置３１の共有ホルダ内のファイルを指定して印刷するオンデマンドプリント時に、タッチパネル５１（表示部１４）を介して操作情報を提供するようになっている。具体的には、オンデマンドプリント時の動作モードがパス選択モードである場合には、図３に示すように、記憶部１７に記憶されているパスデータ６１のリストが、選択可能な態様で画像化されて表示されるようになっている。また、オンデマンドプリント時の動作モードがショートカット選択モードである場合には、図４に示すように、記憶部１７に記憶されているショートカットデータ（ショートカット名（又はインデックス））５６及びファイル名６２のリストが、選択可能な態様で画像化されて表示されるようになっている。
【００３４】
プリント処理部１１ｅは、オンデマンドプリントを担うものであり、プリント対象として指定されたネットワーク１８の共有ホルダ内のファイルを、操作部１５等を介して入力されるプリント指示に応答して読み出して画像データに展開し、記録部１３にプリント出力させるようになっている。
【００３５】
プリント対象のファイルの指定方法は、オンデマンドプリント時の動作モードがパス選択モードであるか、ショートカット選択モードであるかによって異なっている。パス選択モードのときは、タッチパネル５１に表示される図３のパスデータ６１のリストのうちから所望の１つ以上のパスデータ６１をタッチパネル５１又は操作部１５によって指定することにより、プリント対象の指定が行われるようになっている。
【００３６】
また、ショートカット選択モードのときは、タッチパネル５１に表示される図４のリストのうちから、所望の１つ以上のショートカット名５６及びファイル名６２をタッチパネル５１又は操作部１５によって指定することにより、プリント対象の指定が行われるようになっている。
【００３７】
なお、変形例として、図３のパスデータ６１のリストと、図４のショートカット名５６及びファイル名６１のリストをタッチパネルに一度に表示し、ユーザがその２つのリストのうちからプリント対象の指定に用いるリストを適宜選択するようにしてもよい。
【００３８】
また、他の変形例として、図３及び図４のリストについて、リストの表示の順番について、ファイル保存時刻に基づく時系列順に（例えば、より最新の保存ファイルに対応するものが先に表示されるように）リストが表示されるようにしてもよい。また、記憶部１７に記憶されているパスデータ、又は、ショートカット名及びファイル名等に対して所定の検索条件に基づいて検索して表示する検索機能を付与するようにしてもよく、あるいは、指定した条件に基づいてリストの順番を並べ替えるソート機能を付与するようにしてもよい。
【００３９】
また、プリント対象として指定されたファイルにアクセスする際に保存ホルダに認証データが設定されているときは、プリント処理部１１ｓは、パスデータ６１とともに、又は、ショートカット及びファイル名とともに記憶部１７に記憶されている認証データ（例えば、ユーザー名及びパスワード）を読み出し、その認証データに基づいて保存ホルダ又はファイルにアクセスして読み出し、及びプリント処理を行うようになっている。
【００４０】
なお、この認証データに関する変形例として、認証データが設定されたホルダにアクセスする際には、改めてユーザーに認証データの入力を求め、認証データの照合を経るようにしてもよい。
【００４１】
図５は、制御部１１の保存先管理部１１ｃの処理動作を示すフローチャートである。ステップＳ１で、保存処理部１１ｂによる読取・保存処理が成功したか否かが判断され、成功した場合にはステップＳ２に進む一方、失敗した場合にはパスデータ等の保存処理を行うことなく処理が終了される。
【００４２】
ステップＳ２では、ファイルの保存先のホルダがショートカットを指定して行われたか否かが判断され、ショートカットを用いて指定された場合にはステップＳ３に進み、ショートカットのインデックス（ショートカット名）とファイル名が記憶部１７に記憶されるる。このとき、必要に応じて認証データ（例えば、ユーザー名及びパスワード保存）も一緒に記憶部１７に記憶される。
【００４３】
一方、ファイルの保存先のホルダがショートカットを指定せずに特定された場合には、ステップＳ４に進み、そのファイルが保存されたホルダ及びファイルのパスデータが記憶部１７に記憶される。このとき、必要に応じて認証データ（例えば、ユーザー名及びパスワード保存）も一緒に記憶部１７に記憶される。
【００４４】
図６は、制御部１１の案内処理部１１ｄ及びプリント処理部１１ｅの処理動作を示すフローチャートである。ステップＳ１１では、案内処理部１１ｄにより、記憶部１７に記憶されているパスデータのリスト、又は、ショートカット名及びファイル名のリストがタッチパネル５１に表示される（なお、上記のように、これら２つのリストをタッチパンル５１に同時に表示するようにしてもよい）。
【００４５】
続くステップＳ１２では、プリント処理部１１ｅにより、タッチパネル５１に表示されたリストのうちからプリント対象となる１つ以上のファイルが指定されたか否かが判断され、１つ以上のファイルが指定された場合にはステップＳ１３に進む一方、指定されない場合は指定が行われるまでステップＳ１２の処理が繰り返される。
【００４６】
ステップＳ１３では、プリント処理部１１ｅにより、プリント開始を指示するスタートキーが押圧されたか否かが判断され、スタートキーが押圧された場合にはステップＳ１４に進む一方、押圧されない場合は押圧が行われるまでステップＳ１３の処理が繰り返される。
【００４７】
ステップＳ１４では、プリント処理部１１ｅにより、プリント対象として指定された１つ以上のファイルがネットワーク１８を介して読み出されて画像データに展開され、その画像データのプリント指示がメージ記録部１３に対して出力されるようになっている。このプリント対象のファイルへのアクセスの際に認証データが必要な場合には、予め記憶部１７に記憶されている認証データを用いてアクセスされるようになっている。
【００４８】
以上のように、本実施形態によれば、読み取った画像データの保存に伴ってその保存先のホルダ及びファイルのネットワーク１８内にけるパスデータ、又は、ホルダ指定に用いられたショートカット名及びファイル名が自動的に記憶され、そのパスデータのリスト、又は、ショートカット名及びファイル名のリストが、オンデマンドプリント時にタッチパネル５１に表示されるようになっている。このため、そのリストの中から所望とするパスデータ、又は、ショートカット名及びファイル名を選択してプリント対象のフィイルを指示することができ、その結果、手間をかけずに、プリント対象の画像データが保存されたネットワーク１８内のファイルに簡単にアクセスでき、いわばワンタッチでファイルの読み出しや、プリントを簡単に行うことができる。
【００４９】
また、プリント対象のファイルへのアクセスの際に認証データが必要な場合には、予め記憶部１７に記憶されている認証データが用いられてアクセスされるようになっているため、認証データを再度入力する必要がなく、認証データの入力の手間が省けて便利である。
【図面の簡単な説明】
【００５０】
【図１】本発明の一実施形態に係る画像読取装置としてのファクシミリ複合装置の構成を示すブロック図である。
【図２】タッチパネルの構成例を示す図である。
【図３】タッチパネルの構成例を示す図である。
【図４】タッチパネルの構成例を示す図である。
【図５】制御部の保存先管理部の処理動作を示すフローチャートである。
【図６】制御部の案内処理部及びプリント処理部の処理動作を示すフローチャートである。
【符号の説明】
【００５１】
１  ファクシミリ複合装置
１１  制御部
１１ａ  モード切替部
１１ｂ  保存処理部
１１ｃ  保存先管理部
１１ｄ  案内処理部
１１ｅ  プリント処理部
１２  読取部
１３  記録部
１４  表示部
１５  操作部
１６  通信部
１７  記憶部
１８  ネットワーク
３１  外部装置
５１  タッチパネル
【図１】
2008022281.tif 000003
【図２】
2008022281.tif 000004
【図３】
2008022281.tif 000005
【図４】
2008022281.tif 000006
【図５】
2008022281.tif 000007
【図６】
2008022281.tif 000008